(57)【要約】      （修正有）【課題】撃打作業時の移動を楽にし、体への負担を軽減するとともに、作業効率をよくする撃打作業機を提供する。【解決手段】動力源となる動力部３と、動力部からの回転を伝達する筒状部５と、筒状部からの回転を利用して、撃打作業を行う撃打部２とを備える撃打作業機１において、撃打部付近にハンドル６を設け、動力部付近に車輪４を設ける。【選択図】図１
0003234627.tif 000002
【実用新案登録請求の範囲】
【請求項１】
動力源となる動力部と、前記動力部からの回転を伝達する筒状部と、前記筒状部からの回転を利用して、撃打作業を行う撃打部とを備える撃打作業機において、前記撃打部付近にハンドルを設け、前記動力部付近に車輪を設けることを特徴とした撃打作業機。
【請求項２】
請求項１に記載の撃打作業機において、前記ハンドルは、片手用のハンドル、または左右両端に設けられた両手用ハンドルを備えることを特徴とする撃打作業機。
【請求項３】
請求項１に記載の撃打作業機において、前記撃打作業機の長手方向が、地面に対して略水平方向になる状態で、上記撃打部と、スタンドを下向きにして前記地面に置く時に、前記車輪が前記地面から浮いた状態になり、安定した状態で前記地面に置けることを特徴とする撃打作業機。
【考案の詳細な説明】
【技術分野】
【０００１】  本考案は、撃打作業機に車輪及びハンドルを設けた撃打作業機に関するものである。
【背景技術】
【０００２】  特許文献１には、撃打作業機の作業時において、移動する度に、手で持ち上げて運ぶため、体への負担が大きく、作業効率を悪くしていた。
【先行技術文献】
【特許文献】
【０００３】
【特許文献１】特開平１０−２６６２０５号  公報
【考案の概要】
【考案が解決しようとする課題】
【０００４】  重量の重たい撃打作業機を持ち上げて移動するのは、体への負担が大きく、また移動した後、撃打作業の体勢である撃打部を上にした状態に持ち変える際にも体への負担が大きく、作業効率を悪くしているという課題があった。【０００５】  そこで本発明は、移動しやすく作業効率をよくした撃打作業機を提供することを目的としている。
【課題を解決するための手段】
【０００６】  上記課題を解決するために、本考案の撃打作業機は、動力源となる動力部と、前記動力部からの回転を伝達する筒状部と、前記部からの回転を利用して、撃打作業を行う撃打部とを備える撃打作業機において、前記撃打部付近にハンドルを設け、前記動力部付近に車輪を設けることを特徴とする。
【考案の効果】
【０００７】  本発明の撃打作業機によれば、撃打作業の移動する際に、撃打作業機の上部のハンドルを引くか、または押しながら、撃打作業機の下部の車輪を地面に転がしながら前進していくことで、移動が楽になり、体にかかる負担が軽減できる。【０００８】  また、撃打作業機を移動する時と、撃打作業を行う時も、撃打部が上にあるので、移動から作業に素早く移れて、作業効率がよくなる。
【図面の簡単な説明】
【０００９】
【図１】本発明に係る撃打作業機の斜視図である。
【図２】本発明に係る撃打作業機のハンドルを持ち上げ、車輪のみが地面に接している場合の側面図である。
【図３】本発明に係る撃打作業機に複数の車輪を備えた場合の斜視図である。
【図４】本発明に係る撃打作業機に１つの車輪を備えた場合の斜視図である。
【図５】本発明に係る撃打作業機に両手用ハンドルを備えた場合の斜視図である。
【図６】本発明に係る撃打作業機に片手用ハンドルを備えた場合の斜視図である。
【図７】本発明に係る撃打作業機の打撃部より、杭を撃つ作業時の状態を示す側面図である。
【図８】本発明に係る撃打作業機を地面に置いた状態の斜視図である。
【考案を実施するための形態】
【００１０】  以下、本発明に係る撃打作業機の実施形態を図１〜図８を参照して説明する。
【００１１】  図１は、本発明に係る撃打作業機１の斜視図である。撃打作業機１は動力源となる動力部３と、この動力部３からの回転を伝達する筒状部５と、この筒状部５からの回転を利用して、撃打作業を行う撃打部２と、撃打部２付近にハンドル６と、動力部３付近に車輪４を備える。
【００１２】  図２は、本発明に係る撃打作業機１のハンドル６を持ち上げ、車輪４のみが地面７に接している場合の側面図である。撃打作業機１の車輪４を支点にして、ハンドル６を矢印Ａにて示す上方向に持ち上げ、車輪４のみが地面７に接した状態において、ハンドル６を手で引くか、または押しながら、車輪４を地面に転がして、矢印Ｂ、または矢印Ｃにて示す方向に移動することができる。
【００１３】  図３は、本発明に係る撃打作業機２０１に、複数の車輪２０４を備えた場合の斜視図である。本発明の撃打作業機２０１に、複数の車輪２０４を備え、安定した状態で移動できる。また車輪の数は３つ以上あってもよい。
【００１４】  図４は、本発明に係る撃打作業機３０１に１つの車輪３０４を備えた場合の斜視図である。本発明の撃打作業機３０１の車輪３０４を１つにすることで、製造コストが低減できる利点がある。
【００１５】  図５は、本発明に係る撃打作業機４０１に両手用ハンドル４０６を備えた場合の斜視図である。本発明の撃打作業機４０１に両手用ハンドル４０６を備え、この両手用ハンドル４０６を両手で握り、車輪４０４のみ地面４０７に接した状態で、撃打作業機４０１を、矢印Ｄにて示す方向に押して移動させることができ、体の負担を軽減できる。
【００１６】  図６は、本発明に係る撃打作業機５０１に片手用ハンドル５０６を備えた場合の斜視図である。本発明の撃打作業機５０１に片手用ハンドル５０６を備え、この片手用ハンドル５０６を片手で握り、車輪５０４のみ地面５０７に接した状態で、撃打作業機５０１を、矢印Ｅにて示す方向に引きながら移動させることができる。
【００１７】  図７は、本発明に係る撃打作業機６０１の打撃部６０２より、杭６０８の撃打作業の状態を示す側面図である。本発明の撃打作業機６０１を用いて、杭６０８を地面６０７に撃打作業する場合、地面６０７に杭の下端６１０を当て、打撃部６０２に、杭の上端６０９を当て撃打作業を行う。撃打作業する場所までの移動の際には、ハンドル６０６を持って、車輪６０４を地面６０７に転がし、撃打部６０２が上になった状態で移動して来るので、移動後の杭６０８の撃打作業時も、撃打部６０２が上に位置するので、撃打作業に素早く移れて、作業効率がよい。
【００１８】  図８は、本発明に係る撃打作業機７０１を地面７０７に置いた状態の斜視図である。本発明の撃打作業機７０１の長手方向をが、地面７０７に対して、略水平方向になる状態で、撃打部７０２と、スタンド７１１を下側にして、地面７０７に置く時に、車輪７０４が、地面７０７から浮いた状態になり、安定した状態で地面７０７に置くことができる。
【符号の説明】
【００１８】１、２０１、３０１、４０１、５０１、６０１、７０１  撃打作業機
２、６０２、７０２  撃打部
３  動力部
４、２０４、３０４，４０４、５０４、６０４、７０４  車輪
５  筒状部
６、６０６  ハンドル
７、４０７、５０７、６０７、７０７  地面
４０６  両手用ハンドル
５０６  片手用ハンドル
６０８  杭
６０９  杭の上端
６１０  杭の下端
７１１  スタンド
Ａ、Ｂ、Ｃ、Ｄ、Ｅ  矢印
【図１】
0003234627.tif 000003
【図２】
0003234627.tif 000004
【図３】
0003234627.tif 000005
【図４】
0003234627.tif 000006
【図５】
0003234627.tif 000007
【図６】
0003234627.tif 000008
【図７】
0003234627.tif 000009
【図８】
0003234627.tif 000010